(57)【要約】      （修正有）【課題】シンプルな構成であって確実にコンクリートブロックを固定することができるコンクリートブロックの吊り具を提供する。【解決手段】内部を空洞とする直方体状であり、コンクリートブロックの角柱部の対向する２つの面と各々当接して挟持し、平板部を下から支える２本の下腕部２と、角柱部の下腕部と当接しない面の内一方と当接するブロック支持部６とを具備することで、下腕部２とブロック支持部６によって平面視略コ字状のブロック固定スペースを形成する。また、下腕部２の長手方向の２つの端部には図示しない孔部が形成されると共に、孔部にはシャフトが挿通され、シャフトの一方の端部には下腕部から垂直に迫り出すようブロック固定部材７が取り付けられ、他方の端部にはハンドル８が取り付けられ、ハンドル８を回動させることによってブロック固定部材７が回転するよう構成する。【選択図】図１
2014240317.tif 000002
【特許請求の範囲】
【請求項１】
平板部と、脚部と、平板部及び脚部の双方よりも断面積を狭小とする断面視方形の角柱部とを一体的に形成してなるコンクリートブロックを吊り上げる吊り具であって、
該吊り具は、
内部を空洞とする直方体状であり、前記コンクリートブロックの前記角柱部の対向する２つの面と各々当接して挟持し、平板部を下から支える２本の下腕部と、
前記角柱部の前記下腕部と当接しない面の内一方と当接するブロック支持部とを具備し、
前記下腕部と前記ブロック支持部によって平面視略コ字状のブロック固定スペースを形成し、
前記下腕部の長手方向の２つの端部には孔部が形成されると共に、該孔部に挿通される円筒状のシャフトを具備し、該シャフトの一方の端部には前記下腕部から垂直に迫り出すようブロック固定部材が取り付けられ、他方の端部にはハンドルが取り付けられ、該ハンドルを回動させることによって前記ブロック固定部材が回転するよう構成され、
前記ブロック固定スペースに前記角柱部を遊嵌させた状態において、前記ハンドルを回動させることで前記ブロック固定部材を回転させ、前記ブロック固定スペースから前記角柱部が逸脱しないよう、前記ブロック固定部材を前記ブロック支持部に当接する面と対向する面と当接させてロックすることを特徴とする吊り具。
【請求項２】
前記下腕部の前記ハンドル側端部の上面側から垂直に連設される支柱部と、該支柱部の上端部から前記下腕部と平行に且つ同一方向に延設される上腕部とを具備し、該上腕部には吊り上げ用の機材を取り付けるための孔部が穿設されることを特徴とする請求項１記載の吊り具。
【発明の詳細な説明】
【技術分野】
【０００１】
本発明は、大型の谷積ブロック等のコンクリートブロックの吊り具に関する。
【背景技術】
【０００２】
従来、河川や海岸等において、護岸のための大型のコンクリートブロックを谷積することで防波堤を形成している。このコンクリートブロックを重機で釣り上げる際、鋼鉄製の吊り具を用いることが一般的である。
【０００３】
例えば特許文献１では、コンクリートブロックを平面視略コ字状の吊り具によって挟むように位置決めし、予め設けられたコンクリートブロックと吊り具の孔部に支持棒を挿通し、吊り具を重機によって吊り上げる構成が開示されている。
【０００４】
また、特許文献２では、コンクリートブロック上端の係合凸条の背面に吊り具用の嵌合孔を設け、吊り具を当該嵌合孔に挿入すると共に固定ピンを係合凸条前面に当接させることでコンクリートブロックを吊り具によって挟持し、吊り具を重機によって吊り上げる構成が開示されている。
【０００５】
更に、特許文献３では、パネル背面に設けられた連結鉄筋を利用し、吊り具をパネル上部の連結鉄筋に引掛けて固定すると共に、パネル下方を支持部によって支持し、吊り上げる構成が開示されている。
【０００６】
また、特許文献４及び５では、ブロックの平板部の角部をその上面と下面から挟着可能な可動挟着体と固定挟着杆とを吊り具に設ける構成を開示しており、加えて特許文献４では開閉可能な挟着腕部によってブロックを挟み込む構成が、特許文献５では可動挟着体を回動部材から突設した回動腕部に枢着し、かつ回動部材から回動腕部の他方に吊り腕部を突設させることで、平面方形の平板部を有するコンクリートブロックを斜めに吊上げることができ、更に吊り上げ角度の調整が可能とする構成が開示されている。
【先行技術文献】
【特許文献】
【０００７】
【特許文献１】特開平７−９０８６４号公報
【特許文献２】特開平８−１９９６００号公報
【特許文献３】特開２０１０−１９００１９号公報
【特許文献４】実開平５−６５９８１号公報
【特許文献５】特開平８−５３２８７号
【発明の概要】
【発明が解決しようとする課題】
【０００８】
しかしながら、上記特許文献１及び２の方法では、コンクリートブロックの形状が複雑となり、その成形にかかるコストとコンクリートブロックの耐久性に問題が生じる虞がある。また上記特許文献３の方法では、背面に連結鉄筋があることが前提であり、これを持たない大型コンクリートブロック等に適用することは困難である。更に特許文献４及び５の方法では、コンクリートブロックの重量が非常に重い大型コンクリートブロックでは、挟着固定のための力が不足してコンクリートブロックが滑落する虞があり、更にその構成は非常に複雑であり、吊り具を製造するにあたってコストが非常に高くなってしまっていた。
【０００９】
本発明は、上記課題を鑑みてなされたものであり、シンプルな構成からなり、安価に提供可能で、且つ確実にコンクリートブロックを固定することが可能な吊り具を提供することを目的とする。
【課題を解決するための手段】
【００１０】
本発明の吊り具は、平板部と、脚部と、平板部及び脚部の双方よりも断面積を狭小とする断面視方形の角柱部とを一体的に形成してなるコンクリートブロックを吊り上げる吊り具であって、該吊り具は、内部を空洞とする直方体状であり、前記コンクリートブロックの前記角柱部の対向する２つの面と各々当接して挟持し、平板部を下から支える２本の下腕部と、前記角柱部の前記下腕部と当接しない面の内一方と当接するブロック支持部とを具備し、前記下腕部と前記ブロック支持部によって平面視略コ字状のブロック固定スペースを形成し、前記下腕部の長手方向の２つの端部には孔部が形成されると共に、該孔部に挿通される円筒状のシャフトを具備し、該シャフトの一方の端部には前記下腕部から垂直に迫り出すようブロック固定部材が取り付けられ、他方の端部にはハンドルが取り付けられ、該ハンドルを回動させることによって前記ブロック固定部材が回転するよう構成され、前記ブロック固定スペースに前記角柱部を遊嵌させた状態において、前記ハンドルを回動させることで前記ブロック固定部材を回転させ、前記ブロック固定スペースから前記角柱部が逸脱しないよう、前記ブロック固定部材を前記ブロック支持部に当接する面と対向する面と当接させてロックすることを特徴とする。
【００１１】
また、本発明の吊り具は、前記下腕部の前記ハンドル側端部の上面側から垂直に連設される支柱部と、該支柱部の上端部から前記下腕部と平行に且つ同一方向に延設される上腕部とを具備し、該上腕部には吊り上げ用の機材を取り付けるための孔部が穿設されることを特徴とする。
【発明の効果】
【００１２】
上記のような吊り具によれば、コンクリートブロックの固定構造をシンプルに構成することができ、その製造にかかる時間的・金銭的コストを抑えることができる。またシンプルな構造故に耐久性も非常に高い。更にコンクリートブロックの固定に係る操作も非常に簡単であり、作業性も非常に良い。
【図面の簡単な説明】
【００１３】
【図１】本発明の実施例１における、吊り具の斜視図である。
【図２】同上、コンクリートブロックを固定した状態を示す吊り具の斜視図である。
【図３】同上、コンクリートブロックを固定した状態を示す吊り具の基本投影図であり、（ａ）平面図、（ｂ）左側面図、（ｃ）正面図、（ｄ）右側面図である。
【図４】同上、図３（ｃ）のＡ−Ａ面におけるコンクリートブロックを固定した状態の吊り具を示す断面図である。
【図５】同上、コンクリートブロックを固定した状態の吊り具を吊り上げた状態を示す斜視図である。
【図６】本発明の実施例２における、吊り具の斜視図である。
【図７】同上、コンクリートブロックを固定した状態を示す吊り具の斜視図である。
【図８】同上、同上、コンクリートブロックを固定した状態を示す吊り具の基本投影図であり、（ａ）平面図、（ｂ）左側面図、（ｃ）正面図、（ｄ）右側面図である。
【図９】同上、図８（ｃ）のＢ−Ｂ面におけるコンクリートブロックを固定した状態の吊り具を示す断面図である。
【図１０】本発明の実施例３における、吊り具の斜視図である。
【図１１】同上、コンクリートブロックを固定した状態を示す吊り具の斜視図である。
【図１２】同上、コンクリートブロックを固定した状態を示す吊り具の基本投影図であり、（ａ）平面図、（ｂ）左側面図、（ｃ）正面図、（ｄ）右側面図である。
【図１３】同上、図１２（ｃ）のＣ−Ｃ面におけるコンクリートブロックを固定した状態の吊り具を示す断面図である。
【図１４】同上、コンクリートブロックを固定した状態を示す吊り具の下面図である。
【発明を実施するための形態】
【００１４】
以下、本発明を実施するための形態としての実施例を図１から図５を参照して説明する。もちろん、本発明は、その発明の趣旨に反さない範囲で、実施例において説明した以外のものに対しても容易に適用可能なことは説明を要するまでもない。
【実施例１】
【００１５】
本発明の吊り具の実施例について図１に基づいて説明する。
【００１６】
図１は、コンクリートブロックを運搬のために吊り上げるために用いる吊り具１の斜視図を示している。吊り具１は下腕部２を具備し、当該下腕部２の端部の一方から垂立して支柱３が形成され、さらにこの支柱３の上端から下腕部２と平行且つ同方向に上腕部４が延設され、側面視コ字状に形成される。その際、下腕部２と上腕部４の間には、吊り上げるコンクリートブロックが挿入されるに十分な間隙を有すよう形成される。下腕部２、上腕部４及び支柱３は２組で構成され、各々は図１に示すように梁部５、５ａ、ブロック支持部６及び支持棒１０にて連結される。尚、用いるコンクリートブロックのサイズや重心の関係でその寸法は適宜選択されうるが、往々にして上腕部４より下腕部２の方が長くなるよう形成されるものである。
【００１７】
下腕部２は内部が空洞となっており、長手方向の両端部には図示しない円形の孔部が形成され、当該孔部にシャフト９が挿通され、シャフト９の支柱部３側の端部にはハンドル８が取り付けられ、他方の端部にはブロック固定部材７が形成される。ハンドル８を回転させることで下腕部２内部をシャフト９が回動し、ブロック固定部材７が回転する。
また、吊り具１は把持部２０を具備する。把持部２０は図１に示す位置に限定するものではなく、適宜利用しやすい箇所に取り付ければよい。
【００１８】
図２乃至４は、図１に示す吊り具１によってコンクリートブロック５０を挟着した状態を示す斜視図及び基本投影図である。コンクリートブロック５０は、平板部５１と、平板部の下面に形成される四つのテーパ面５２と、このテーパ面５２の平板部と対向する側の中央に角柱部５３を具備する。更にコンクリートブロック５０は、当該角柱部５３の下方には河川岸等に接地する脚部５４を設け、角柱部５３が平板部５１及び脚部５４よりも括れた形状となるよう形成される。
【００１９】
吊り具１はこのコンクリートブロック５０に最適となるような寸法にて形成される。即ち、図３（ｃ）のＡ−Ａ線における断面図である図４に示すように、下腕部２、ブロック支持部６、及び２つのブロック固定部材７によって平面視略コ字状に形成されるスペース（以降これをブロック固定スペースと呼ぶ）において角柱部５３を遊嵌することができるような寸法にて吊り具１を形成する。このように形成することで、テーパ部５２、角柱部５３、脚部５４によって形成される括れに沿って吊り具１の下腕部２を差し込むように導入し、ブロック支持部６を角柱部５３の一辺に当接させるようブロック固定スペースに角柱部５３の全てが導入された状態にて、ハンドル８を回転させてブロック固定部材７の双方を内側に向けることで角柱部５３をロックすることができる。従って、下腕部２，２の間から角柱部５３が逸脱することを防ぐことできる。コンクリートブロック５０は角柱部５３が括れており当該角柱部５３の上下は、角柱部５３よりも大きい平板部５１（及びテーパー部５２）と脚部５４から構成されていることから、吊り具１からコンクリートブロック５０の上下方向への逸脱をも防止することが可能となる。
【００２０】
図５は、コンクリートブロック５０を挟着した吊り具１を図示しない重機等で吊り上げた状態を示している。上腕部４には吊り上げ用のチェーンを固定するチェーン取付孔４ａが複数設けられる。このチェーン取付孔４ａの何れにチェーンを固定するかによって、吊り上げた際の吊り具１の、ひいてはコンクリートブロック５０の角度が変わる。即ち、コンクリートブロック５０を配置する際の角度の調整を、このチェーン取付孔４ａによって行うことができ、適切な角度を選択することでコンクリートブロック５０の設置の効率が著しく向上する。
【００２１】
また、コンクリートブロック５０の設置が完了した場合もハンドル８を回してブロック固定部材７を吊り具１の外側に向けることで取り外すことができるので、設置したコンクリートブロック同士の間隙が非常に狭いような場合であっても、容易に作業を行うことができる。
【実施例２】
【００２２】
異なる形状のコンクリートブロックを吊り上げる場合は、それに合わせた形状の吊り具を用いる必要がある。図７〜図９は、上記実施例１とは異なる形状のコンクリートブロック５０ａを吊り上げるための吊り具１ａを示している。
このようにコンクリートブロックの形状や、積み上げる際の方向等、種々のケースに応じて、形状の異なる吊り具を使用する。
【実施例３】
【００２３】
図１０〜図１４は、コンクリートブロックの頂点部分の何れかを下に向けて積み上げる必要がある場合に用いる吊り具の一例を示している。例えば平面視正方形のコンクリートブロック５０ｂを、何れかの頂点を下に向けて積み上げるような場合、実施例１や実施例２と同様の形状で吊り上げようとすると、吊り具とコンクリートブロックとが当接する箇所が各々の下腕部２において一点となり、その接触面積は非常に小さくなってしまい、コンクリートブロックの荷重による負荷が大きくなることで吊り具やコンクリートブロックの破損、及びこれに起因してコンクリートブロックの逸脱・落下が生じてしまう虞がある。
【００２４】
これを防止することを目的として吊り具１ｂには、図１０〜図１４に示すように、ブロック支持部６と下腕部２とを斜めに接合する筋交部６ａ、６ａを形成する。コンクリートブロック５０ｂを吊り上げる際、角柱部５３の隣り合う２辺を、この筋交部６ａと当接させるようにコンクリートブロック５０ｂを位置決めし、ハンドル８を回してブロック固定部材７を回転させることで、筋交部６ａ、６ａと当接していない角柱部５３の面にブロック固定部材７を当接させて、コンクリートブロック５０ｂを吊り具１ｂに固定する。このような構成とすることで、コンクリートブロック５０ｂによる荷重を筋交部６ａ、６ａを介してブロック支持部６及び下腕部２に掛けることができ、吊り具１ｂから逸脱することなく、更に接触する面積を大きく採ることで、コンクリートブロック５０ｂと吊り具１ｂ双方に破損等が生じる虞が少ない構成とすることができる。
【００２５】
以上説明した通り、本発明の吊り具によれば、コンクリートブロックを吊り具に固定するための構造が、ブロック固定部材７とシャフト９、及びこれらを回転させるためのハンドル８というシンプルな構造にて構成されていることから、製造にかかるコストを抑えることができ、故障にも強く、またその操作も単純であることから吊り具の作業性としても非常に高い。
【００２６】
以上、本発明の実施例について詳述したが、本発明は、前記実施例に限定されるものではなく、本発明の趣旨の範囲内で種々の変形実施が可能である。例えばコンクリートブロックの形状を３種例示して説明したがこれに限定せず、種々のコンクリートブロックを吊り上げる吊り具に適用することが容易であることは言うまでもない。また、梁部５ａについては、吊り具の強度を向上させることを目的としており、その位置については適宜選択して実施しても何ら問題ない。強度向上のために例えば梁部５ａとブロック支持部６との間に筋交いを行ったりしても良い。
【符号の説明】
【００２７】
１、１ａ、１ｂ  吊り具
２  下腕部
３  支柱
４  上腕部
５、５ａ  梁部
６  ブロック支持部
６ａ  筋交部
７  ブロック固定部材
８  ハンドル
９  シャフト
１０  支持棒
１１  把持部
５０、５０ａ、５０ｂ  コンクリートブロック
５１  平板部
５３  角柱部
５４  脚部
【図１】
2014240317.tif 000003
【図２】
2014240317.tif 000004
【図３】
2014240317.tif 000005
【図４】
2014240317.tif 000006
【図５】
2014240317.tif 000007
【図６】
2014240317.tif 000008
【図７】
2014240317.tif 000009
【図８】
2014240317.tif 000010
【図９】
2014240317.tif 000011
【図１０】
2014240317.tif 000012
【図１１】
2014240317.tif 000013
【図１２】
2014240317.tif 000014
【図１３】
2014240317.tif 000015
【図１４】
2014240317.tif 000016